(57)【特許請求の範囲】
【請求項１】
歯付ベルトに装着して使用するベルト用プロファイルであって、前記歯付ベルトの背面側に配置されるプロファイル本体と、該プロファイル本体との間に歯付ベルトの側縁部を挟持するよう前記歯付ベルトの側縁部かつ歯面側に配置される挟持部と、歯付ベルト側面の外側を通ってプロファイル本体及び挟持部を連結する連結部とを備え、前記挟持部に、ベルト歯に係止される一つの爪部が形成されると共に、歯付プーリの外周側に位置した際に歯付ベルトの歯先に当接する円弧状のベルト当接面が形成され、該ベルト当接面は、歯付ベルトの複数の歯先及び歯溝に渡る範囲に形成されたことを特徴とするベルト用プロファイル。
【請求項２】
前記プロファイル本体は、一の歯付プーリと他の歯付プーリとの間に位置した際に直線状をなす歯付ベルトの背面に接する接触面のベルト周長方向の長さが歯付ベルトの複数の歯先及び歯溝に渡る長さに設定されたことを特徴とする請求項１に記載のベルト用プロファイル。
【請求項３】
請求項１又は２に記載のベルト用プロファイルを備えたことを特徴とするプロファイル付きベルト。
【発明の詳細な説明】
【技術分野】
【０００１】
本発明は、歯付ベルトに装着して使用するベルト用プロファイル及びプロファイル付きベルトに関するものである。
【背景技術】
【０００２】
一般に、ベルト搬送において、その被搬送物が転がりやすいものである場合や、水平面に対する搬送方向の傾斜角が大きい場合、ベルトの背面に、被搬送物を搬送方向に押し送るためのプロファイルを取り付けるようにしている。このプロファイルは、ベルトの背面に接着や溶着することによって取り付けることが多く、さらに、ベルトとプロファイルとを一体的に成型することもある。
【０００３】
ただ、プロファイルをベルトに取り付けるための手法として接着や溶着などを採用すると、プロファイルの素材の選択が制約を受けやすく、しかも、プロファイルの取り外しができないことから、外観を観察するだけでは接合部の状態を確認できず、プロファイルの寿命を判断しにくいことが多い。また、ベルトとプロファイルとを一体的に成型するには、ベルト成型に、プロファイルの形状を掘り込んだ金型を使用する必要があり、投資金額が高くなり、寸法変更への対応も難しい。
【０００４】
これに対して、特許文献１は、歯付ベルト１０１の背面側に配置するプロファイル本体１０２とベルト歯に係止する爪部１０３とで歯付ベルト１０１の側縁部を挟持することにより、歯付ベルト１０１にプロファイルを取り付けるようにしている。このプロファイルは、歯付プーリ間に位置したとき、プロファイル本体１０２の全体がベルト背面に接して転倒を阻止し（図６参照）、歯付プーリの外周側に位置したとき、プロファイル本体１０２がベルト背面から浮き上がって歯付ベルト１０１の屈曲を許容する（図７参照）。
【先行技術文献】
【特許文献】
【０００５】
【特許文献１】特開２００９−１１３９５５（段落番号００２２、００３１〜００３３、図４、図５）
【発明の概要】
【発明が解決しようとする課題】
【０００６】
ところで、特許文献１のプロファイルは、歯付プーリ間で被搬送物を搬送する用途においては、プロファイル本体がベルト背面に接して転倒を阻止するので、被搬送物を設定通りに搬送することができる。しかし、歯付プーリの外周側で被搬送物を搬送する場合、プロファイル本体がベルト背面から浮き上がることにより、プロファイルが被搬送物から受ける反力によって倒れやすくなるので、被搬送物を設定通りの位置及びタイミングで搬送できなくなるおそれがある。
【０００７】
本発明は、歯付プーリの外周側に位置した際にも倒れを阻止することのできるベルト用プロファイル及びプロファイル付きベルトの提供を目的とする。
【課題を解決するための手段】
【０００８】
上記目的を達成するために、本発明に係るベルト用プロファイルは、歯付ベルトに装着して使用するものであり、歯付ベルトの背面側に配置されるプロファイル本体と、このプロファイル本体との間に歯付ベルトの側縁部を挟持するよう歯付ベルトの側縁部かつ歯面側に配置される挟持部と、歯付ベルト側面の外側を通ってプロファイル本体及び挟持部を連結する連結部とを備えたものである。さらに、その挟持部に、ベルト歯に係止する一つの爪部を形成すると共に、歯付プーリの外周側に位置した際に歯付ベルトの歯先に当接する円弧状のベルト当接面を形成し、このベルト当接面を歯付ベルトの複数の歯先及び歯溝に渡る範囲に形成している。
【０００９】
上記構成によれば、挟持部にベルト当接面を形成して、プロファイルが歯付プーリの外周側に位置した際、歯付プーリに巻き付いて円弧状をなす歯付ベルトの歯面側にベルト当接面を当接させるようにしている。しかも、そのベルト当接面を歯付ベルトの複数の歯先及び歯溝に渡る範囲に形成するので、歯付ベルトの歯面側にベルト当接面を広範囲で当接させることができ、被搬送物からの反力によるプロファイルの倒れを阻止することができる。
【００１０】
また、プロファイル本体と挟持部とを歯付ベルト側面の外側を通る連結部を介して一体化するので、歯付ベルトの側縁部をベルト幅方向内側からプロファイル本体と挟持部との間に挿入するだけで、歯付ベルトにプロファイルを容易に装着することができる。また、挟持部を歯付ベルトの側縁部かつ歯面側に配置するので、この挟持部の爪部をベルト歯に係止してベルト周長方向へのプロファイルの移動を阻止しつつ、挟持部をベルト幅方向で歯付プーリの外側に位置させて、歯付ベルトと歯付プーリとの噛み合いを阻害するのを防止することができる。
【００１１】
また、挟持部として、一つの爪部を形成すると共に、ベルト当接面を歯付ベルトの歯先が当接する円弧状に形成したものを採用するので、ベルト当接面の形状を極力簡単にすることができ、しかも、爪部を一つにする分、ベルト歯と挟持部の爪部との噛み合い不良を生じることがなく、挟持部が歯付ベルトの歯付プーリへの巻き付きを阻害するのを防止することができる。
【００１２】
つまり、挟持部に複数の爪部を形成すると共に、その爪部の先端を全体として円弧状をなすよう設定することにより、プロファイルが歯付プーリの外周側に位置した際に爪部の先端が歯付ベルトの歯底に当接するようにした構造も採用可能である。ただ、この構造は、プロファイルをより強固に歯付ベルトに係止できるものの、挟持部の形状が複雑になると共に、複数の爪部を設ける分、ベルト歯と挟持部の爪部との噛み合い不良を生じて歯付ベルトの歯付プーリへの巻き付きを阻害するおそれがある。そこで、一つの爪部と円弧状のベルト当接面を形成することにより、その形状を極力簡単にすると共に、歯付ベルトとの噛み合い不良を阻止することができる。
【００１３】
プロファイル本体としては、一の歯付プーリと他の歯付プーリとの間に位置した際に直線状をなす歯付ベルトの背面に接する接触面のベルト周長方向の長さを歯付ベルトの複数の歯先及び歯溝に渡る長さに設定したものを例示できる。この構成によれば、プロファイル本体のベルト背面との接触面を広範囲に設定するので、プロファイルが歯付プーリ間に位置した際の倒れを阻止することができる。
【００１４】
つまり、上記の挟持部のベルト当接面は、プロファイルが歯付プーリの外周側に位置したときに歯付ベルトに当接するものであり、歯付ベルトが直線状をなす歯付プーリ間に位置したときには、ベルト当接面が歯付ベルトから離れることになり、プロファイルの倒れを規制することができない。
【００１５】
これに対し、ベルト背面との接触面を歯付ベルトの複数の歯先及び歯溝に渡る長さにすることにより、プロファイルが歯付プーリ間に位置したとき、プロファイル本体が歯付ベルトに広範囲で接するようにして、プロファイルが倒れるのを阻止することができる。しかも、歯付プーリの外周側においては、プロファイル本体が歯付ベルトと線接触するよう浮き上がるので、プロファイル本体が歯付ベルトの屈曲を阻害することがない。
【発明の効果】
【００１６】
以上のとおり、本発明によると、挟持部にベルト当接面を形成して、プロファイルが歯付プーリの外周側に位置した際に歯付ベルトの歯面側に広範囲で当接させるので、プロファイルが歯付プーリの外周側に位置した際にも、被搬送物からの反力によるプロファイルの倒れを阻止することができる。
【図面の簡単な説明】
【００１７】
【図１】本発明に係るベルト用プロファイルの平面図
【図２】プロファイルの正面図
【図３】プロファイルの側面図
【図４】歯付ベルトに装着したプロファイルの断面図
【図５】歯付プーリの外周側に位置したプロファイルの側面図
【図６】従来のプロファイルの断面図
【図７】従来のプロファイルが歯付プーリの外周側に位置したときの側面図
【発明を実施するための形態】
【００１８】
以下、本発明に係るベルト用プロファイル及びプロファイル付きベルトを実施するための形態について、図面を用いて説明する。
【００１９】
プロファイル１は、歯付プーリ２の外周側においても被搬送物をベルト搬送可能なよう、歯付ベルト３に所望の個数を装着して使用するものであり、歯付ベルト３の背面側に配置されるプロファイル本体４と、プロファイル本体４との間に歯付ベルト３の側縁部３ａを挟持する挟持部５と、ベルト歯６に係止される爪部７と、歯付ベルト３の歯面側に当接するベルト当接面８と、プロファイル本体４及び挟持部５を連結する連結部９とを備え、このプロファイル１が歯付プーリ２の外周側に位置したとき、ベルト当接面８が歯付ベルト３の歯面側に当接することにより、プロファイル１の倒れを阻止するようになっている。なお、このプロファイル１は、例えばナイロンやポリプロピレンなどの合成樹脂から形成される。
【００２０】
歯付ベルト３は、歯付プーリ２のプーリ歯１０に噛み合うベルト歯６を有すると共に、そのベルト幅が歯付プーリ２の中心軸方向長さよりも幅広に設定されている。これにより、歯付プーリ２に掛巻した歯付ベルト３のうち、プロファイル本体４と挟持部５とで挟持される側縁部３ａが、歯付プーリ２からベルト幅方向に突出し、歯付ベルト３と歯付プーリ２との噛み合いが挟持部５によって阻害されるのを防止する。
【００２１】
プロファイル本体４は、歯付ベルト３の背面に接するよう配置される直方体とされ、その上面のねじ孔１１に取り付けられたアタッチメント（図示せず）やプロファイル本体４自体が被搬送物を搬送方向に押し送るようになっている。
【００２２】
このプロファイル本体４は、連結部９の厚さだけ歯付ベルト３のベルト幅よりも幅広に設定されると共に、歯付ベルト３の周長方向における寸法が歯付ベルト３の複数の歯先１２及び歯溝１３に渡る長さに設定されている。これにより、プロファイル１が歯付プーリ２間に位置した際、プロファイル本体９の下面の接触面が直線状に張られた歯付ベルト３の背面に広範囲で接して、プロファイル１の倒れを阻止する。
【００２３】
挟持部５は、ベルト周長方向の寸法がプロファイル本体４よりも長く設定された突片とされ、歯付ベルト３の側面の外側を通る連結部９から歯付ベルト３の歯面側に突出することにより、プロファイル本体４との間に側縁部３ａを挟持する。
【００２４】
爪部７は、例えば断面台形とされて、挟持部５の上面中央に一つだけ形成され、この一つの爪部７が歯付ベルト３の側縁部３ａの歯溝１３に嵌ることにより、歯付プーリ２への歯付ベルト３の巻き付きや噛み合いを阻害することなく、プロファイル１をベルト歯５に係止する。
【００２５】
ベルト当接面８は、挟持部５の上面のうちの爪部７の両側部分を円弧状に形成してなり、プロファイル１が歯付プーリ２の外周側に位置したとき、歯付ベルト３の歯先１２が当接するよう、ベルト当接面８の曲率半径が設定される。このベルト当接面８は、挟持部５のベルト周長方向における寸法がプロファイル本体４よりも長く設定されることにより、歯付ベルト３の複数の歯先１２及び歯溝１３に渡る範囲に形成され、歯付プーリ２の外周側に位置したときのプロファイル１の倒れを阻止する。
【００２６】
連結部９は、略台形の板状とされて、プロファイル本体４のベルト幅方向両端部から歯付ベルト３の側面の外側を通ってベルト歯面側に突出するよう形成され、その先端部からベルト幅方向内向きに挟持部５が突出形成されている。
【００２７】
次に、プロファイルを装着した歯付ベルトを回転させたときの様子を説明する。まず、プロファイル１は、そのプロファイル本体４と挟持部５とで歯付ベルト３の側縁部３ａを挟持すると共に、爪部７を側縁部３ａの歯溝１３に嵌めることにより、歯付ベルト３に装着されている。ここで、歯付ベルト３の側縁部３ａを挟持するには、歯付ベルト３を湾曲させてベルト幅方向に縮めることにより、挟持部５の先端を乗り越えさせるようにして、爪部７を歯溝１３に嵌めつつ側縁部３ａをプロファイル本体４と挟持部５との間に挿入する。さらに、その反対の手順でプロファイル１を歯付ベルト３から取り外すこともできる。
【００２８】
このプロファイル１は、歯付ベルト３が回転して移動することにより、被搬送物を押し送ると共に、被搬送物から受ける反力を爪部７から歯溝１３を介して歯付ベルト３に伝える。
【００２９】
プロファイル１が歯付ベルト３のうちの歯付プーリ２間に直線状に張られた部位（図３の二点鎖線及び図４の実線を参照）に位置したとき、プロファイル本体４の下面全体が歯付ベルト３の背面に接するようになっている。この状態においては、被搬送物から受ける反力に対して、プロファイル本体４の下面がベルト背面に圧接されることにより、プロファイル１の転倒が阻止される。
【００３０】
また、プロファイル１が歯付ベルト３のうちの歯付プーリ８に円弧状に巻き付いた部位（図４の二点鎖線及び図５を参照）に位置したとき、円弧状をなす歯付ベルト３の歯先１２にベルト当接面８が当接するようになっている。この状態においては、被搬送物から受ける反力に対して、ベルト当接面８が歯付ベルト３の歯先１２に圧接されることにより、プロファイル１の転倒が阻止される。しかも、プロファイル本体４の下面が、爪部７の近傍を残して歯付ベルト３の背面から浮き上がることにより、プロファイル本体４が歯付ベルト３の屈曲を阻害することがない。
【００３１】
上記構成によれば、ベルト当接面８を円弧状として、歯付ベルト３の歯先１２に接触及び浮き上がり自在にするので、歯付プーリ２の外周側においても被搬送物からの大きな反力に耐えることができる。また、プロファイル本体４を歯付ベルト３の背面に接触及び浮き上がり自在にするので、歯付プーリ２間における被搬送物からの大きな反力に耐えつつ、歯付プーリ２を小径に設定することができる。
【００３２】
また、プロファイル１を歯付ベルト３に容易に着脱することができるので、随時取り外して観察することにより、プロファイル１の寿命などの判断をすることができる。また、歯付ベルト３の側縁部３ａを挟持して装着するので、歯付ベルト３やプロファイル１の材質を自由に選択することができる。
【００３３】
なお、本発明は、上記の実施の形態に限定されるものではなく、本発明の範囲内において、適宜変更を加えることができる。
【符号の説明】
【００３４】
１    プロファイル
２    歯付プーリ
３    歯付ベルト
３ａ  側縁部
４    プロファイル本体
５    挟持部
６    ベルト歯
７    爪部
８    ベルト当接面
９    連結部
１０  プーリ歯
１１  ねじ孔
１２  歯先
１３  歯溝
【図１】
0005547446.tif 000002
【図２】
0005547446.tif 000003
【図３】
0005547446.tif 000004
【図４】
0005547446.tif 000005
【図５】
0005547446.tif 000006
【図６】
0005547446.tif 000007
【図７】
0005547446.tif 000008